(57)【要約】【課題】熱媒の熱を効率的に熱発電体に伝達することができる熱発電装置、該熱発電装置の製造方法を得る。【解決手段】排気熱発電装置１０は、それぞれ高温側の面１６Ａと低温側の面１６Ｂとの温度差によって起電力を生じる熱発電モジュール１６と、電気絶縁性を有するセラミックにて熱媒としての排気ガスを流通させ得る筒状に形成された筒部５０を有するガス流路部材２０とを備えている。筒部５０は、上側扁平壁５０Ａ、下側扁平壁５０Ｂの外面を熱発電モジュール１６の高温側の面１６Ａに直に接触させている。【選択図】図１
2008035595.tif 000002
【特許請求の範囲】
【請求項１】
それぞれ高温側と低温側との温度差によって起電力を生じる熱発電体と、
電気絶縁性を有するセラミックにて熱媒を流通させ得る筒状に形成され、外面を前記熱発電体の高温側に直に接触させた熱媒流路部材と、
を備えた熱発電装置。
【請求項２】
前記熱発電体は、高温側の電極が露出されており、該高温側の電極が前記熱媒流路部材の外面に直に接触している請求項１記載の熱発電装置。
【請求項３】
前記熱媒流路部材における前記熱発電体の高温側との接触する壁部には、該熱媒流路部材の内部を流通する熱媒が接触する集熱フィンが一体に形成されている請求項１又は請求項２記載の熱発電装置。
【請求項４】
前記熱媒流路部材は、前記熱媒の流通経路の一部を成すケース内に配置されると共に、緩衝材を介して前記ケースに対し保持されている請求項１乃至請求項３の何れか１項記載の熱発電装置。
【請求項５】
前記緩衝材には、前記熱発電体を前記熱媒流路部材に対し位置決め可能な貫通孔が形成されており、
前記ケースには、前記緩衝材の貫通孔に入り込まされると共に高温側を前記熱媒流路部材に接触させた前記熱発電体の低温側を露出させるための窓部が形成されている請求項４記載の熱発電装置。
【請求項６】
前記熱発電体の低温側を冷却するための冷却部と、
前記冷却部と前記熱媒流路部材とを、前記熱発電体を挟み込んだ状態に保持するための保持手段と、
をさらに備えた請求項１乃至請求項５の何れか１項記載の熱発電装置。
【請求項７】
電気絶縁性のセラミックから成る熱媒流路部材の焼成前に、該熱媒流路部材の外面に熱発電体の高温側を接触させる接触工程と、
前記熱発電体の高温側を外面に接触させている前記熱媒流路部材を焼成する焼成工程と、
を含む熱発電装置の製造方法。
【請求項８】
前記熱発電体は、高温側電極が露出されており、
前記焼成工程は、前記熱発電体の高温側電極を前記熱媒流路部材の外面に接触させた状態で行なわれる請求項７記載の熱発電装置の製造方法。
【請求項９】
前記熱発電体は、低温側電極及び前記高温側電極を介して電気的に接続された複数の熱発電素子が電気絶縁性を有するセラミックにてモールドされて構成されており、
前記焼成工程において、前記熱媒流路部材の焼成と前記熱発電体の焼成とを共に行なう請求項７又は請求項８記載の熱発電装置の製造方法。
【発明の詳細な説明】
【技術分野】
【０００１】
本発明は、例えば自動車の排気ガス等の高温流体が有する熱を利用して発電を行なう熱発電装置に関する。
【背景技術】
【０００２】
セラミック製のハニカム担体に触媒を担持させた触媒コンバータのシェルの外周面に、緩衝材を介して熱電変換素子の高温面を接触させた触媒コンバータ一体型排熱発電装置が知られている（例えば、特許文献１参照）。
【特許文献１】特開平１１−５５９７３号公報
【特許文献２】特開２００３−３４８８６７号公報
【発明の開示】
【発明が解決しようとする課題】
【０００３】
しかしながら、上記の如き従来の技術では、熱電変換素子と触媒コンバータのシェルとの間に緩衝材が介在しているので、触媒コンバータから熱電変換素子へ効率的に熱を伝達することができない。
【０００４】
本発明は上記事実を考慮して、熱媒の熱を効率的に熱発電体に伝達することができる熱発電装置及び該熱発電装置の製造方法を得ることが目的である。
【課題を解決するための手段】
【０００５】
上記目的を達成するために請求項１記載の発明に係る熱発電装置は、それぞれ高温側と低温側との温度差によって起電力を生じる熱発電体と、電気絶縁性を有するセラミックにて熱媒を流通させ得る筒状に形成され、外面を前記熱発電体の高温側に直に接触させた熱媒流路部材と、を備えている。
【０００６】
請求項１記載の熱発電装置では、熱発電体は、熱媒流路部材を流れる熱媒からの熱にて加熱された高温側と、低温側との温度差によって起電力を生じる。ここで、電気絶縁性を有する熱媒流路部材は、その外面に熱発電体の高温側を直に接触させることができる。これにより、本熱発電装置では、例えば熱媒流路部材と熱発電体との間に絶縁材等を介在させた構成と比較して、熱媒の熱を熱発電体に効果的に伝達させることができる（熱回収効率が良好である）。
【０００７】
このように、請求項１記載の熱発電装置では、熱媒の熱を効率的に熱発電体に伝達することができる。
【０００８】
請求項２記載の発明に係る熱発電装置は、請求項１記載の熱発電装置において、前記熱発電体は、高温側の電極が露出されており、該高温側の電極が前記熱媒流路部材の外面に直に接触している。
【０００９】
請求項２記載の熱発電装置では、上記の通り熱媒流路部材が電気絶縁性を有することにより熱発電体側に電極を覆う絶縁層を設ける必要がないので、熱発電体の高温側電極を直に熱媒流路部材に接触させることが実現された。これにより、本熱発電装置では、熱媒の熱を熱発電体に一層効果的に伝達させることができる。特に、例えば電極を焼成前の熱媒流路部材に押し付ける等しつつ、該熱媒流路部材を焼成した構成では、電極と壁部との密着度が増し、これらの間の接触熱抵抗が低減する。この場合、電極の厚み方向の少なくとも一部が熱媒流路部材の壁部に埋め込まれる構成とすれば、電極と壁部との密着度を一層高めることができる。
【００１０】
請求項３記載の発明に係る熱発電装置は、請求項１又は請求項２記載の熱発電装置において、前記熱媒流路部材における前記熱発電体の高温側との接触する壁部には、該熱媒流路部材の内部を流通する熱媒が接触する集熱フィンが一体に形成されている。
【００１１】
請求項３記載の熱発電装置では、熱発電体の高温側（電極）に接触する壁部から集熱フィンが一体に設けられているので、熱媒の熱を熱発電体により一層効果的に伝達させることができる。また、集熱フィンを接合等によって設ける構成と比較して、生産性が良好である。
【００１２】
請求項４記載の発明に係る熱発電装置は、請求項１乃至請求項３の何れか１項記載の熱発電装置において、前記熱媒流路部材は、前記熱媒の流通経路の一部を成すケース内に配置されると共に、緩衝材を介して前記ケースに対し保持されている。
【００１３】
請求項４記載の熱発電装置では、熱媒流路部材は、熱媒が流れるケース内に配置されて、該ケースを流れる熱媒の少なくとも一部を通過させることで熱発電体の高温側に熱媒の熱を伝達する。ケースと熱媒流路部材との間には緩衝材が介在しているため、換言すれば、ケースに対し熱媒流路部材すなわち熱発電体が弾性支持（フローティング支持）されているため、熱膨張差や外力の伝達が吸収又は緩和され、熱媒流路部材及び熱発電体が保護される。
【００１４】
請求項５記載の発明に係る熱発電装置は、請求項４記載の熱発電装置において、前記緩衝材には、前記熱発電体を前記熱媒流路部材に対し位置決め可能な貫通孔が形成されており、前記ケースには、前記緩衝材の貫通孔に入り込まされると共に高温側を前記熱媒流路部材に接触させた前記熱発電体の低温側を露出させるための窓部が形成されている。
【００１５】
請求項５記載の熱発電装置では、緩衝材に設けられた貫通孔に熱発電体を入り込ませる（嵌合させる）ことで、熱媒流路部材に対し熱発電体の位置が容易に決まる。また、この貫通孔及びケースの窓部によって熱発電体の低温側が露出されるので、該低温側と高温側との温度差が確保される。
【００１６】
請求項６記載の発明に係る熱発電装置は、請求項１乃至請求項５の何れか１項記載の熱発電装置において、前記熱発電体の低温側を冷却するための冷却部と、前記冷却部と前記熱媒流路部材とを、前記熱発電体を挟み込んだ状態に保持するための保持手段と、をさらに備えている。
【００１７】
請求項６記載の熱熱発電装置では、熱発電体は、高温側が熱媒流路部材を介して熱媒にて加熱されると共に、低温側が冷却部によって冷却されることで、高温側と低温側との温度差が確保される。熱発電体は、保持手段の保持力によって冷却部と熱媒流路部材との間に挟み込まれている。本熱発電装置では、上記の通り熱媒から熱発電体への熱伝達が効率的に行われるので、保持手段の保持荷重を小さく抑えることができる。
【００１８】
上記目的を達成するために請求項７記載の発明に係る熱発電装置の製造方法は、電気絶縁性のセラミックから成る熱媒流路部材の焼成前に、該熱媒流路部材の外面に熱発電体の高温側を接触させる接触工程と、前記熱発電体の高温側を外面に接触させている前記熱媒流路部材を焼成する焼成工程と、を含む。
【００１９】
請求項７記載の熱発電装置の製造方法では、接触工程で、セラミック製でかつ焼成前の熱媒流路部材の外面に熱発電体の高温側を接触させる。この接触状態を維持したまま、熱媒流路部材を焼成する。これにより、熱媒流路部材と熱発電体の高温側との接触界面が密着し、該熱媒流路部材と熱発電体との接触熱抵抗が低減される。
【００２０】
このように、請求項７記載の熱発電装置の製造方法では、熱媒の熱を効率的に熱発電体に伝達することができる熱発電装置を得ることができる。
【００２１】
請求項８記載の発明に係る熱発電装置の製造方法は、請求項７記載の熱発電装置の製造方法において、前記熱発電体は、高温側電極が露出されており、前記焼成工程は、前記熱発電体の高温側電極を前記熱媒流路部材の外面に接触させた状態で行なわれる。
【００２２】
請求項８記載の熱発電装置の製造方法では、接触工程において熱発電体の高温電極を接触させたままの状態で、焼成工程において熱媒流路部材を焼成する。これにより、熱発電体の高温側電極と熱媒流路部材とが密着して接触熱抵抗が低減される。このように製造された熱発電装置は、熱発電体の高温側電極が熱媒流路部材に直に密着するので、熱媒の熱を一層効率的に熱発電体に伝達することができる。
【００２３】
請求項９記載の発明に係る熱発電装置の製造方法は、請求項７又は請求項８記載の熱発電装置の製造方法において、前記熱発電体は、低温側電極及び前記高温側電極を介して電気的に接続された複数の熱発電素子が電気絶縁性を有するセラミックにてモールドされて構成されており、前記焼成工程において、前記熱媒流路部材の焼成と前記熱発電体の焼成とを共に行なう。
【００２４】
請求項９記載の熱発電装置の製造方法では、熱発電体の焼成と、熱媒流路部材の焼成工程とが同時に行われるので、製造工程を削減することができる。
【発明の効果】
【００２５】
以上説明したように本発明に係る熱発電装置では、熱媒の熱を効率的に熱発電体に伝達することができるという優れた効果を有する。また、この熱発電装置の製造方法では、熱媒の熱を効率的に熱発電体に伝達することができる熱発電装置を得ることができるという優れた効果を有する。
【発明を実施するための最良の形態】
【００２６】
本発明の第１の実施形態に係る熱発電装置である排気熱発電装置１０について、図１乃至図１０に基づいて説明する。先ず、排気熱発電装置１０の全体構成を説明し、次いで本発明の要部である高温側熱交換器１２の詳細構成について説明し、その後、排気熱発電装置１０の製造（組立）方法を説明することとする。なお、以下の説明では、便宜上、矢印Ｕで示す側を上側、矢印Ｗで示す方向を幅方向、矢印Ｆで示す方を排気ガスの流れ方向（下流向き方向）とする。
【００２７】
（排気熱発電装置の概略全体構成）
図２には、排気熱発電装置１０の概略全体構成が斜視図にて示されており、図３には、排気熱発電装置１０の分解斜視図が示されている。そして、図１には、図２の１−１線に沿った断面図が示されている。これらの図に示される如く、排気熱発電装置１０は、加熱部としての高温側熱交換器１２と、冷却部としての低温側熱交換器１４との間に、それぞれ熱発電体としての複数の熱発電モジュール１６を挟み込んで構成されている。各熱発電モジュール１６は、それぞれ上下方向に扁平した平面視矩形状に形成されている。
【００２８】
図２及び図３に示される如く、高温側熱交換器１２は、上下高が幅と比較して小さい扁平矩形状に形成されており、上下の低温側熱交換器１４との間にそれぞれ複数の熱発電モジュール１６を挟み込んで保持している。この実施形態では、排気熱発電装置１０は、高温側熱交換器１２の片面側において、排気ガス流れ方向に４つで幅方向に２つの各８つの熱発電モジュール１６を保持しており、両面合わせて計１６個の熱発電モジュール１６を備えている。
【００２９】
図１に示される如く、高温側熱交換器１２は、扁平矩形筒状に形成されたケースとしての高温側熱交換器ケース１８内に、扁平矩形筒状に形成された熱媒流路部材としてのガス流路部材２０を配設した構造とされている。高温側熱交換器１２では、後述する如く、ガス流路部材２０が各熱発電モジュール１６の高温側の面１６Ａに熱伝達可能に接触するようになっている。また、図３に示される如く、高温側熱交換器ケース１８の上流側開口端であるガス入口部１８Ａには、図示しない内燃機関エンジン側の排気管との間に介在するダクト部材２２が接続されている。ダクト部材２２は、排気管に接続されるパイプ部２２Ａと、パイプ部２２Ａの下流端から高温側熱交換器ケース１８の入口まで流路断面を徐変させる連結ダクト部２２Ｂとで構成されている。
【００３０】
一方、図示は省略するが、高温側熱交換器ケース１８の下流流側開口端であるガス出口１８Ｂ（図３参照）には、図示しない大気開放（マフラ）側の排気管との間に介在するダクト部材が接続されている。このダクト部材は、ダクト部材２２を上下流方向に反転させた如く構成されている。これにより、高温側熱交換器ケース１８すなわち高温側熱交換器１２は、図示しない内燃機関エンジンから、排気管、ダクト部材２２を経由した排気ガスが導入され、後に詳述するガス流路部材２０で熱を回収した後の排気ガスを大気開放側に排出するようになっている。
【００３１】
図３に示される如く、低温側熱交換器１４は、平面視で高温側熱交換器ケース１８とほぼ同等の長さ及び幅を有する矩形状に形成されると共に上下方向に扁平して形成されている。図１に示される如く、低温側熱交換器１４は、低温側熱交換器ケース２４内に放熱フィン２６が配設されて構成されている。低温側熱交換器ケース２４内に放熱フィン２６は、低温側熱交換器ケース２４における４つの熱発電モジュール１６の低温側の面１６Ｂとの接触面を構成する伝熱壁２４Ａから立設されている。
【００３２】
図２及び図３に示される如く、上下の低温側熱交換器１４は、それぞれ冷却水入口１４Ａ、冷却水出口１４Ｂが設けられており、冷却水入口１４Ａから導入されて冷却水出口１４Ｂから排出されるエンジン冷却水に熱発電モジュール１６からの熱を放出する構成とされている。
【００３３】
図１０（Ｂ）には、熱発電モジュール１６の構造が模式的な断面図にて示されている。この図に示される如く、熱発電モジュール１６は、それぞれ多数のＰ型熱発電素子２８とＮ型熱発電素子３０とを全体として格子状を成すように交互に配置し、隣接するＰ型熱発電素子２８の高温側とＮ型熱発電素子３０の高温側とを高温側電極３２で接続すると共に、高温側電極３２とは異なる組み合わせとなるように隣接するＰ型熱発電素子２８の低温側とＮ型熱発電素子３０の低温側とを低温側電極３４で接続することで構成されている。
【００３４】
各熱発電モジュール１６は、上記の如く直列に接合してモジュール化されたＰ型熱発電素子２８、Ｎ型熱発電素子３０を電気絶縁性のセラミックによりモールディングしてモールド部３５を形成することにより構成されている。図１０（Ａ）に示される如く、高温側電極３２、低温側電極３４は、モールド部３５から外部に露出しており、かつ図１０（Ｂ）に示される如く、厚み方向の一部がモールド部３５から突出している。したがって、この実施形態における熱発電モジュール１６は、高温側熱交換器１２、低温側熱交換器１４との接触電極が露出した所謂スケルトンタイプとされている。
【００３５】
このスケルトンタイプの熱発電モジュール１６は、高温側電極３２、低温側電極３４が露出させることで、高温側と低温側との温度に基づく熱膨脹差によりＰ型熱発電素子２８、Ｎ型熱発電素子３０、高温側電極３２、低温側電極３４に作用する応力を最小限に抑えるようになっている。したがって、スケルトンタイプの熱発電モジュール１６は、主に高温側と低温側との温度差が大きい場合に用いられる。これらの熱発電モジュール１６には、発電した電力を取り出すための一対の端子３６が設けられている。
【００３６】
なお、熱発電モジュール１６は、図１０（Ｃ）に示される如く、高温側電極３２、低温側電極３４の何れか一方がモールド部３５に埋め込まれた構成としても良い。他方、高低温両者の電極がセラミック基板に埋め込まれた所謂セラミックタイプの熱発電モジュール１６（外観は図１０（Ｃ）に示すものと同様）も存在するが、このセラミックタイプの熱発電モジュール１６は、主に高温側と低温側との温度差（熱膨脹差）が小さい場合に用いられ、排気ガスの熱を利用する本実施形態では採用されることは少ない。以下の説明では、熱発電モジュール１６は、高温側電極３２及び低温側電極３４を露出させたスケルトンタイプであるものとする。
【００３７】
以上説明した熱発電モジュール１６は、それぞれ扁平した矩形状に形成されており、例えば、各発電素子２８、３０のゼーベック効果によって高温側と低温側との温度差（熱落差）に基づく起電力を生じるようになっている。そして、各熱発電モジュール１６は、高温側と低温側との温度差を確保するために、上記した通り高温側熱交換器１２（ガス流路部材２０）と低温側熱交換器１４との間に挟み込まれている。具体的には、図１に示される如く、各熱発電モジュール１６は、高温側の面１６Ａを構成する高温側電極３２をガス流路部材２０（上側扁平面又は下側扁平面）に熱伝達可能に圧接し、低温側の面１６Ｂを構成する低温側電極３４を低温側熱交換器１４（伝熱壁２４Ａ）に絶縁材３７を介して熱伝達可能に圧接させている。
【００３８】
これにより、それぞれ高温側熱交換器１２と低温側熱交換器１４との間に挟み込まれた各熱発電モジュール１６は、高温側の面１６Ａにおいて高温側熱交換器１２から吸熱し、低温側の面１６Ｂにおいて低温側熱交換器１４に放熱する構成とされている。絶縁材３７は、厚み方向に弾性（柔軟性）を有する材料、例えばシリコン系材料にて構成されており、高温側熱交換器１２（ガス流路部材２０）と部品保持ブラケット３８（後述）との熱膨張差を吸収するようになっている。
【００３９】
また、この排気熱発電装置１０では、図１及び図３に示される如く、正面視で略矩形環状に形成された部品保持ブラケット３８と、該部品保持ブラケット３８に設けられた保持力付与機構４０とによって、高温側熱交換器１２と上下の低温側熱交換器１４との間にそれぞれ熱発電モジュール１６が挟み込まれた圧接状態に保持されるようになっている。具体的には、部品保持ブラケット３８は、それぞれ正面視で略ハット形状に形成された半体３８Ａ、３８Ｂの重ね合わされたフランジ部３８Ｃがボルト・ナットを主要構成要素とする締結手段３８Ｄにて固定されることで、上記の通り全体として環状に形成されている。環状に形成され高温側熱交換器１２に対し非接触である部品保持ブラケット３８は、該高温側熱交換器１２からの熱影響を受け難い構成とされている。
【００４０】
保持力付与機構４０は、図１に示される如く、部品保持ブラケット３８に固着されたウェルドナット４２に螺合した保持力調整ボルト４４と、保持力調整ボルト４４の先端と低温側熱交換器１４との間に圧縮状態で配設された皿ばね４６とを主要構成要素として構成されている。保持力付与機構４０は、各皿ばね４６の復元力に基づく保持荷重によって上下の低温側熱交換器１４、熱発電モジュール１６を高温側熱交換器１２側に押し付け、高温側熱交換器１２に対し低温側熱交換器１４、熱発電モジュール１６を保持するようになっている。また、保持力付与機構４０は、ウェルドナット４２に対する保持力調整ボルト４４の螺合位置すなわち皿ばね４６の圧縮量を変化することで、上記した保持荷重を調整可能とされている。
【００４１】
図３に示される如く、部品保持ブラケット３８は、前後方向に並列して計２つ設けられており、保持力付与機構４０は、熱発電モジュール１６毎に計１６つ設けられている。したがって、この実施形態では、各熱発電モジュール１６を個別に独立して保持荷重の調整可能とされている。また、この実施形態では、各半体３８Ａ、３８Ｂにおける部品保持ブラケット３８の角隅部を構成する部分が内側に折り曲げられており、締結手段３８Ｄによる締結前（保持力付与機構４０による保持力付与前）に、高温側熱交換器１２、熱発電モジュール１６、低温側熱交換器１４を積層した状態で仮保持するための仮保持部３８Ｅを構成している。以上説明した部品保持ブラケット３８、各保持力付与機構４０が本発明における保持手段に相当する。
【００４２】
（高温側熱交換器の構成）
高温側熱交換器１２は、上記した通り、高温側熱交換器ケース１８内にガス流路部材２０を配設して構成されている。高温側熱交換器ケース１８は、ダクト部材２２等を介して自動車の排気系に接続され（排気系を構成し）、該排気系と共に車体に支持されている。図３及び図８に示される如く、上下方向に扁平の扁平矩形筒状の高温側熱交換器ケース１８の上側扁平壁１８Ｃ、下側扁平壁１８Ｄには、ガス流路部材２０の上下の扁平面に接触した各熱発電モジュール１６の低温側の面１６Ｂを個別に露出させるための窓部４８が壁圧方向に貫通して形成されている。窓部４８の寸法は、熱発電モジュール１６の平面視形状の寸法と略同等とされ、熱発電モジュール１６が嵌合（遊嵌）するようになっている。高温側熱交換器ケース１８は、ステンレス鋼等の金属材にて構成されている。
【００４３】
ガス流路部材２０は、図５（Ａ）に示される如く、上下方向に扁平の扁平矩形筒状に形成された筒部５０と、それぞれ筒部５０を構成する本発明における壁部としての上側扁平壁５０Ａと下側扁平壁５０Ｂとを架け渡す多数の集熱フィン５２とを主要部として構成されている。この実施形態では、図５（Ｃ）に示される如く、筒部５０と各集熱フィン５２とは一体に形成されている。より具体的には、ガス流路部材２０は、セラミック材（原料）の押し出し成形にて筒部５０と多数の集熱フィン５２とが一体に形成されたものを焼成して構成されている。この実施形態では、ガス流路部材２０は、図６（Ａ）に示される如くガス流れ方向（前後方向）に４分割された如き構造とされており、４つの各単位ガス流路部材２０Ａ〜２０Ｄ（を構成する各筒部５０）の上下流の開口端５０Ｃ、５０Ｄ同士をセラミック材にて接合して焼成することで構成されている（図６（Ｂ）参照）。
【００４４】
以上により、ガス流れ方向に並列された４列の熱発電モジュール１６は、列毎に異なる単位ガス流路部材２０Ａ〜２０Ｄを構成する筒部５０の上側扁平壁５０Ａ、下側扁平壁５０Ｂに接触するようになっている。そして、図５（Ｂ）に示される如く、各集熱フィン５２は、筒部５０の前後の開口端５０Ｃ、５０Ｄの近傍には設けられていない。このため、４つの各単位ガス流路部材２０Ａ〜２０Ｄを接合して構成されたガス流路部材２０は、これらの接合において集熱フィン５２が存在しない空隙である拡散ガス層（図示省略）が設定されている。この拡散ガス層は、上流側の筒部５０内における集熱フィン５２間を通過した排気ガスが下流側の筒部５０の集熱フィン５２間に導入される前に拡散させる（排気ガスの温度分布を均一化させる）ための空間とされている。
【００４５】
ガス流路部材２０（単位ガス流路部材２０Ａ〜２０Ｄ）を構成するセラミック材としては、電気絶縁性を有し熱伝導率の良好なもの、例えばアルミナ系やマグネシア系のセラミック等が用いられる。
【００４６】
図１に示される如く、高温側熱交換器ケース１８とガス流路部材２０との間には、緩衝材５４が介在している。この実施形態では、緩衝材５４は、ガス流路部材２０の略全周に亘って巻き付けられている。緩衝材５４は、例えばグラスウール等より成り、高温側熱交換器ケース１８に対しガス流路部材２０を相対変位可能に（弾性的に）支持する機能と、ガス流路部材２０から高温側熱交換器ケース１８への伝熱を抑制する断熱機能とを果たす構成とされている。
【００４７】
図１、図３、図７（Ａ）、及び図７（Ｂ）に示される如く、緩衝材５４には、高温側熱交換器ケース１８の窓部４８に対応して厚み方向に貫通する貫通孔５６が形成されており、各貫通孔５６には対応する熱発電モジュール１６が入り込む（嵌合する）ようになっている。これにより、排気熱発電装置１０では、熱発電モジュール１６の低温側の面１６Ｂが緩衝材５４の貫通孔５６、高温側熱交換器ケース１８の窓部４８によって露出され、上記の通り低温側熱交換器１４の伝熱壁２４Ａに圧接される（絶縁材３７を介して押し付けられる）ようになっている。また、この実施形態では、ガス流路部材２０に巻き付けられた緩衝材５４は、その貫通孔５６に嵌合した熱発電モジュール１６を仮保持（脱落を防止する）することができる設定（貫通孔の寸法）とされている。
【００４８】
以上により、排気熱発電装置１０では、自動車の排気系と共に車体に支持された高温側熱交換器ケース１８に対して、ガス流路部材２０、熱発電モジュール１６、低温側熱交換器１４、及び部品保持ブラケット３８が、緩衝材５４を介して相対変位可能に（弾性的に）支持されている。
【００４９】
そして、排気熱発電装置１０では、以上説明した高温側熱交換器１２を構成するガス流路部材２０の上側扁平壁５０Ａ、下側扁平壁５０Ｂの外面に対し、図４に拡大して示される如く、各熱発電モジュール１６の各高温側電極３２を直に接触させている。
【００５０】
（排気熱発電装置の製造方法）
上記構成の排気熱発電装置１０を製造するにあたっては、それぞれ焼成前の４つの各単位ガス流路部材２０Ａ〜２０Ｄを図６（Ａ）に示される状態から図６（Ｂ）に示される如くセラミック材にて接合して焼成する。また、図７（Ａ）に示される如く、グラスウール不織布等の打ち抜き等によって貫通孔５６を有する緩衝材５４を形成する。次いで、図８に示される如く、各貫通孔５６の位置が熱発電モジュール１６の設置位置になるように、緩衝材５４をガス流路部材２０巻き付ける。そして、同図に矢印Ａにて示される如く、緩衝材５４が巻き付けられているガス流路部材２０を高温側熱交換器ケース１８に圧入する。
【００５１】
さらに、図９に示される如く、高温側熱交換器ケース１８の窓部４８と緩衝材５４の貫通孔５６とを合わせた状態で、各窓部４８から貫通孔５６にそれぞれ１つの熱発電モジュール１６を嵌め込んでセットし、該熱発電モジュール１６の高温側の面１６Ａすなわち高温側電極３２をガス流路部材２０の上側扁平壁５０Ａ、下側扁平壁５０Ｂに接触させる。この状態では、各熱発電モジュール１６は、緩衝材５４の貫通孔５６に嵌まり込んでガス流路部材２０に対し仮保持されている。また、各熱発電モジュール１６の低温側の面１６Ｂ（低温側電極３４）との間に絶縁材３７を挟み込ませた低温側熱交換器１４を、部品保持ブラケット３８を用いて仮保持する。すなわち、半体３８Ａと半体３８Ｂとを締結手段３８Ｄにて締結して、該部品保持ブラケット３８の各仮保持部３８Ｅにて押えた低温側熱交換器１４（熱発電モジュール１６）のガス流路部材２０（高温側熱交換器ケース１８）に対する離脱を禁止する。
【００５２】
この仮保持状態から各保持力付与機構４０の保持力調整ボルト４４をウェルドナット４２に所定量だけ螺合する。これにより、各熱発電モジュール１６には低温側熱交換器１４を介して高温側熱交換器ケース１８に対する適正な保持荷重が作用し、該高温側熱交換器ケース１８に対してガス流路部材２０、熱発電モジュール１６、低温側熱交換器１４が適正に保持される。
【００５３】
このようにサブアセンブリ化された排気熱発電装置１０の高温側熱交換器ケース１８にダクト部材２２及びガス出口１８Ｂ側のダクトを接続し、自動車の排気系に組み付ける。一方、低温側熱交換器１４の冷却水入口１４Ａ、冷却水出口１４Ｂにはエンジン冷却水を循環するためのホース等が接続される。以上により、排気熱発電装置１０が製造され、かつ自動車に組み付けられる。なお、ダクト部材２２は、熱発電モジュール１６、低温側熱交換器１４の組付前に高温側熱交換器ケース１８に接合されても良い。
【００５４】
次に、第１の実施形態の作用を説明する。
【００５５】
上記構成の排気熱発電装置１０では、自動車の内燃機関エンジンが始動すると、このエンジンの排気ガスがエンジン側の排気管、ダクト部材２２を経由して高温側熱交換器１２（高温側熱交換器ケース１８）に導入される。高温側熱交換器１２では、排気ガスがガス流路部材２０の集熱フィン５２と接触しつつ筒部５０内を通過する。これにより、高温側熱交換器１２では、排気ガスと集熱フィン５２によって該排気ガスの熱が集熱され、ガス流路部材２０の筒部５０の上側扁平壁５０Ａ、下側扁平壁５０Ｂに伝達される。すると、上側扁平壁５０Ａ、下側扁平壁５０Ｂに接触している各熱発電モジュール１６の高温側が加熱される。上記熱交換によって冷却されつつ高温側熱交換器１２を通過した排気ガスは、下流側の排気管を通じて大気開放される。
【００５６】
一方、エンジン冷却水は、エンジンの図示しないウォータポンプの作動によって、上下の低温側熱交換器１４の冷却水入口１４Ａから導入される。低温側熱交換器１４では、熱発電モジュール１６の熱が伝熱壁２４Ａ、放熱フィン２６を経由してエンジン冷却水に放熱され、各熱発電モジュール１６の低温側が冷却される。低温側熱交換器１４を通過したエンジン冷却水は、冷却水出口１４Ｂから排出されて所定の循環経路（エンジン、ラジエータ、ヒータコア等）を循環し、再び冷却水入口１４Ａから低温側熱交換器１４に導入される。
【００５７】
以上のように、各熱発電モジュール１６の高温側が排気ガスの熱を有効利用して加熱されると共に、各熱発電モジュール１６の低温側がエンジン冷却水にて冷却されることで、各熱発電モジュール１６の高低温側間の温度差が確保され、各熱発電モジュール１６は、この温度差に基づく起電力を生じる。すなわち、排気熱発電装置１０では、各熱発電モジュール１６が発電を行なう。発電された電力は、例えば自動車に搭載された蓄電池であるバッテリ等に蓄えられる（バッテリを充電する）。
【００５８】
ここで、排気熱発電装置１０では、排気ガスを流通させるガス流路部材２０が絶縁性のセラミック材にて構成されているため、このガス流路部材２０を構成する筒部５０の上側扁平壁５０Ａ、下側扁平壁５０Ｂの外面に、熱発電モジュール１６の高温側の面１６Ａを直に接触させる構成が実現された。このため、例えば、排気ガスを流通させる熱交換器シェルの表面と熱発電モジュール１６の高温側の面１６Ａとの間に絶縁材を介在させる構成と比較して、排気ガスの熱を熱発電モジュール１６の高温側の面１６Ａに効率的に伝えることができる。
【００５９】
すなわち、高温側電極３２をモールド部３５から露出させて構成されたスケルトンタイプの熱発電モジュール１６を用いる構成において、熱伝達ロスの原因となる高温側の絶縁材を不要にして、排気ガスから筒部５０の上側扁平壁５０Ａ、下側扁平壁５０Ｂを経由した熱発電モジュール１６への熱伝達を良好に行なうことができる。また、例えば排気熱発電装置１０は、高温側電極３２がモールド部３５に埋め込まれた図１０（Ｃ）に示す如き熱発電モジュール１６を用いて構成することもできるが、高温側電極３２を露出させたスケルトンタイプの熱発電モジュール１６を用いることにより、排気ガスの熱上下の扁平壁５０Ａ、５０Ｂから直接的に高温側電極３２に伝達され、排気ガスの熱を熱発電モジュール１６への一層良好に伝達することができる。
【００６０】
特に、セラミックより成る筒部５０は、焼成前に容易に上側扁平壁５０Ａ、下側扁平壁５０Ｂの面精度を容易に（簡単な加工で）管理可能であり、熱発電モジュール１６の高温側の面１６Ａすなわち高温側電極３２を良好に密着させることができる。このため、ガス流路部材２０と熱発電モジュール１６との接触熱抵抗が低く、排気ガスの熱を熱発電モジュール１６の高温側の面１６Ａに一層効率的に伝えることができる。
【００６１】
また、排気熱発電装置１０では、筒部５０に集熱フィン５２が一体に形成されてガス流路部材２０が構成されているため、排気ガスからの熱を受けた集熱フィン５２から筒部５０の上側扁平壁５０Ａ、下側扁平壁５０Ｂへの熱伝導が良好であり、排気ガスの熱を熱発電モジュール１６の高温側の面１６Ａにより一層効率的に伝えることができる。しかも、セラミック材の押し出し成形にて筒部５０と集熱フィン５２とが一体に形成されるので、上記の如く集熱性能の良好なガス流路部材２０は、生産性が良好であり、安価に生産することができる。
【００６２】
例えばステンレス鋼等の金属製のシェルに金属製の集熱フィンを設けた比較例に係る構成では、シェルの内側の集熱フィンをロウ付け等にて接合して構成される。この集熱フィンとシェルとを隙間なく接合するためには、プレート材を交互に折り返したコルゲートタイプの集熱フィンが用いられるが、折り返し部の寸法誤差を吸収するためには該誤差（シェル壁に対する接離方向のバラつき）分の厚みのロウ材が必要になる。排気ガスを熱源（８００℃）とする熱交換器では、排気ガスの高温に耐え得る高価なロウ材を用いることとなり、材料コストが高くなる原因となる。また、ロウ付け温度も高いため、シェルや集熱フィンの熱変形、内部（残留）応力を抑えるために昇降温時間を長くする必要があり、生産コストが高くなる原因となる。
【００６３】
これに対して排気熱発電装置１０では、上記の通りセラミックを用いることで筒部５０に集熱フィン５２を一体に成形することができ、熱伝達性能が良好なガス流路部材２０を安価に得ることができる。また、上記したアルミナ系やマグネシア系等の熱伝導率の良いセラミック材をも用いることで、ステンレス鋼より成るシェルを用いた構成と比較して、排気ガスからの熱回収率が向上することが確かめられている。しかも、シェル及び集熱フィンを金属材にて構成した比較例との比較では、軽量化が図られ、高温側熱交換器ケース１８を含む高温側熱交換器１２全体としても比較例との比較では軽量化が図られる。また、セラミック製のガス流路部材２０は、金属製のシェルと比較して熱発電モジュール１６との接触面の面精度の確保が容易である。
【００６４】
またここで、排気熱発電装置１０では、ガス流路部材２０が緩衝材５４を介して高温側熱交換器ケース１８に支持されているため、換言すればガス流路部材２０は高温側熱交換器ケース１８に対し相対変位可能に弾性支持（フローティング支持）されているため、高温側熱交換器ケース１８とガス流路部材２０との熱膨張差が吸収され、また外力の伝達が抑制（緩和）される。すなわち、排気熱発電装置１０では、高温側熱交換器ケース１８、ダクト部材２２を含む自動車の排気系に対して、該排気系に相対変位可能に支持されたガス流路部材２０に保持された熱発電部（部品保持ブラケット３８、各保持力付与機構４０によってガス流路部材２０に押し付けられて保持された低温側熱交換器１４、熱発電モジュール１６を含む部分）が良好に保護される。
【００６５】
さらに、排気熱発電装置１０では、緩衝材５４に熱発電モジュール１６が嵌合する貫通孔５６が形成されているため、ガス流路部材２０に対する熱発電モジュール１６の位置決めを容易に行なうことができ、生産性が向上する。特に、鉛直方向の上下を向く筒部５０の上側扁平壁５０Ａ、下側扁平壁５０Ｂにそれぞれ熱発電モジュール１６を配置する排気熱発電装置１０において、緩衝材５４に熱発電モジュール１６を仮保持することができるため、上下の低温側熱交換器１４、部品保持ブラケット３８の組み付け作業が容易になり、生産性が一層向上する。
【００６６】
また、排気熱発電装置１０では、緩衝材５４の貫通孔５６に嵌合した熱発電モジュール１６のガス流路部材２０に対する位置ずれ（上下の扁平壁５０Ａ、５０Ｂの面方向の位置ずれ）が生じ難いので、該位置ずれを防止するために保持力付与機構４０による保持力を大きく設定する必要がない。このため、ガス流路部材２０に要求される強度が低くなり、さらなる熱伝達効率の向上や軽量化を図ることが可能となる。特に、上記した通り、セラミック製のガス流路部材２０では、上下の扁平壁５０Ａ、５０Ｂの面精度を高くすることができるため、保持力付与機構４０による押し付け力に頼ることなく高温側の面１６Ａ（高温側電極３２）を上下の扁平壁５０Ａ、５０Ｂの面に密着させることができ、これによっても、各保持力付与機構４０の保持力を大きく設定する必要がなく、ガス流路部材２０に要求される強度が確実に小さくなる。
【００６７】
（第２の実施形態）
次に、本発明の第２の実施形態を説明する。なお、上記第１の実施形態と基本的に同一の部品、部分については、第１の実施形態と同一の符号を付して説明を省略し、また図示を省略する場合がある。
【００６８】
図１１には、本発明の第２の実施形態に係る排気熱発電装置６０の要部が図４に対応する拡大断面図にて示されている。この図に示される如く、排気熱発電装置６０では、熱発電モジュール１６の高温側電極３２が、ガス流路部材２０を構成する筒部５０の上側扁平壁５０Ａ、下側扁平壁５０Ｂに埋め込まれている（食い込んでいる）点で、上側扁平壁５０Ａ、５０Ｂの平坦な表面に高温側電極３２が直に接触している（熱発電モジュール１６のモールド部３５と上下の扁平壁５０Ａ、５０Ｂ間に隙間が形成される）排気熱発電装置１０とは異なる。
【００６９】
具体的には、排気熱発電装置６０を構成するガス流路部材２０は、その焼成前に熱発電モジュール１６の高温側の面１６Ａが押し付けられて、上下の扁平壁５０Ａ、下側扁平壁５０Ｂにおける高温側電極３２の接触箇所が凹まされ、この熱発電モジュール１６の押し付け状態で焼成されるようになっている。この実施形態では、モールド部３５の焼成前の熱発電モジュール１６の高温側電極３２を上下の扁平壁５０Ａ、下側扁平壁５０Ｂに押し付けた状態で保持し、ガス流路部材２０と熱発電モジュール１６（のモールド部３５）とを同時に焼成するようになっている。したがって、この実施形態では、ガス流路部材２０を構成するセラミック材とモールド部３５を構成するセラミック材とは、焼成温度（条件）がほぼ同じとされている。
【００７０】
すなわち、排気熱発電装置６０の製造方法においては、熱発電モジュール１６の高温側の面１６Ａすなわち高温側電極３２を、焼成前のガス流路部材２０の上下の扁平壁５０Ａ、５０Ｂにそれぞれ接触させる接触工程を含む。また、排気熱発電装置６０の製造方法では、熱発電モジュール１６の高温側電極３２を扁平壁５０Ａ、５０Ｂにそれぞれ接触させたままでガス流路部材２０を焼成する焼成工程を含む。この焼成工程では、各単位ガス流路部材２０Ａ〜２０Ｄを接合するセラミック材の焼成をも行なわれるようになっている。さらに、この実施形態では、モールド部３５が焼成される前の熱発電モジュール１６がガス流路部材２０にセットされ、焼成工程において、熱発電モジュール１６のモールド部３５が焼成されるようになっている。
【００７１】
排気熱発電装置６０の他の構成は、排気熱発電装置１０の対応する構成と同じである。すなわち、排気熱発電装置６０では、熱発電モジュール１６の高温側電極３２は、ガス流路部材２０を構成する筒部５０の上側扁平壁５０Ａ又は下側扁平壁５０Ｂに直に接触している。
【００７２】
したがって、第２の実施形態に係る排気熱発電装置６０によっても、第１の実施形態に係る排気熱発電装置１０と同様の作用によって同様の効果を得ることができる。特に、排気熱発電装置６０では、未焼成のガス流路部材２０を、上下の扁平壁５０Ａ、５０Ｂに熱発電モジュール１６の高温側電極３２を接触させた状態で焼成するため、高温側電極３２と上下の扁平壁５０Ａ、５０Ｂとが焼成に伴って密着し、該高温側電極３２と上下の扁平壁５０Ａ、５０Ｂとの密着度を排気熱発電装置１０と比較しても高くすることができる。このため、ガス流路部材２０の熱発電モジュール１６との接触熱抵抗が一層低減され、排気ガスの熱を熱発電モジュール１６に一層効果的に伝達することができる。また、各保持力付与機構４０による保持荷重を一層低く設定することが可能になる。
【００７３】
また、ガス流路部材２０の焼成前に面精度を管理する工程を経る必要がないため、高温側電極３２と上下の扁平壁５０Ａ、５０Ｂとの所要の密着度を得るための工程を削減することができる。さらに、排気熱発電装置６０では、ガス流路部材２０とモールド部３５とを同じ焼成工程で焼成するため、全体の製造工程数を削減することができる。
【００７４】
なお、第２の実施形態では、接触工程で熱発電モジュール１６の高温側電極３２（の厚み方向の少なくとも一部）がガス流路部材２０の上下の扁平壁５０Ａ、５０Ｂに埋め込まれた例を示したが、本発明はこれに限定されず、接触工程で扁平壁５０Ａ、５０Ｂの平坦な表面に高温側電極３２を接触させたまま焼成工程を行うことで、排気熱発電装置６０の完成後に高温側電極３２が扁平壁５０Ａ、５０Ｂに埋め込まれない構成とすることもできる。
【００７５】
また、第２の実施形態では、焼成工程でモールド部３５をガス流路部材２０と共に焼成する例を示したが、本発明はこれに限定されず、例えば、ガス流路部材２０をモールド部３５よりも焼成温度が低いセラミック材にて構成することで、モールド部３５の焼成済の完成した熱発電モジュール１６の高温側電極３２を扁平壁５０Ａ、５０Ｂに接触させた状態でガス流路部材２０のみを焼成するようにしても良い。
【００７６】
さらに、第２の実施形態において、例えば、それぞれ未焼成のモールド部３５を上下の扁平壁５０Ａ、５０Ｂに接触（圧着）させた状態で焼成工程を行なうことで、図１２に示される如くガス流路部材２０に熱発電モジュール１６を一体化させるようにしても良い。
【図面の簡単な説明】
【００７７】
【図１】本発明の第１の実施形態に係る排気熱発電装置を示す図であって、図２の１−１線に沿った断面図である。
【図２】本発明の第１の実施形態に係る排気熱発電装置の斜視図である。
【図３】本発明の第１の実施形態に係る排気熱発電装置の分解斜視図である。
【図４】本発明の第１の実施形態に係る排気熱発電装置の要部を拡大して示す拡大断面図である。
【図５】本発明の第１の実施形態に係る排気熱発電装置を構成するガス流路部材を示す図であって、（Ａ）は正面図、（Ｂ）は平面断面図、（Ｃ）は一部拡大して示す軸直角断面図である。
【図６】本発明の第１の実施形態に係る排気熱発電装置を構成するガス流路部材の製造工程を示す図であって、（Ａ）は各単位ガス流路部材の接合前の斜視図、（Ｂ）は各単位ガス流路部材の接合後の斜視図である。
【図７】本発明の第１の実施形態に係る排気熱発電装置を構成する緩衝材の製造工程を示す図であって、（Ａ）は打ち抜き状態の斜視図、（Ｂ）はガス流路部材への巻付け前の斜視図である。
【図８】本発明の第１の実施形態に係る排気熱発電装置を構成するガス流路部材の高温側熱交換器ケースへの装着前の状態を示す斜視図である。
【図９】本発明の第１の実施形態に係る排気熱発電装置を構成する熱発電モジュールの高温側熱交換器１２への装着前の状態を示す斜視図である。
【図１０】本発明の第１の実施形態に係る排気熱発電装置を構成する熱発電モジュールを示す図であって、（Ａ）は概略全体構成を示す斜視図、（Ｂ）は側断面図、（Ｃ）は変形例の斜視図である。
【図１１】本発明の第２の実施形態に係る排気熱発電装置の要部を拡大して示す拡大断面図である。
【図１２】本発明の第２の実施形態の変形例に係る排気熱発電装置の焼成工程を行なう状態を示す斜視図である。
【符号の説明】
【００７８】
１０    排気熱発電装置（熱発電装置）
１４    低温側熱交換器（冷却部）
１６    熱発電モジュール（熱発電体）
１８    高温側熱交換器ケース（ケース）
２０    ガス流路部材（熱媒流路部材）
３２    高温側電極（高温側の電極）
３８    部品保持ブラケット（保持手段）
４０    保持力付与機構（保持手段）
４８    窓部
５０Ａ  上側扁平壁（壁部）
５０Ｂ  下側扁平壁（壁部）
５２    集熱フィン
５４    緩衝材
５６    貫通孔
６０    排気熱発電装置（熱発電装置）
【図１】
2008035595.tif 000003
【図２】
2008035595.tif 000004
【図３】
2008035595.tif 000005
【図４】
2008035595.tif 000006
【図５】
2008035595.tif 000007
【図６】
2008035595.tif 000008
【図７】
2008035595.tif 000009
【図８】
2008035595.tif 000010
【図９】
2008035595.tif 000011
【図１０】
2008035595.tif 000012
【図１１】
2008035595.tif 000013
【図１２】
2008035595.tif 000014